(57)【要約】【課題】  ユーザーに違和感を与えないような表示を行いながらも、処理ステップを大幅に増やすことなく、ＤＣバランスのとれた輪郭部分の残像消去を行う。【解決手段】  一対の基板間に電気泳動素子を狭持し、少なくとも第１色と第２色を表示可能な画素からなる表示部を含む電気泳動表示装置の駆動方法であって、表示部の所与の領域の内部で電気泳動素子に電圧を印加することにより少なくとも第１および第２の視覚表現を含む所与の視覚表現の書き換えを行う部分書き換え工程Ｓ２と、部分書き換え工程で印加された電圧の非対称性を解消する非対称性解消工程Ｓ６と、を含み、非対称性解消工程は、部分書き換え工程で第１の視覚表現の書き換えに続いて行われ、第２の視覚表現を前記第２色で表示する第１全面書き込み工程に続き、第１の固定画像を構成する画素を前記第１色で表示して第２の視覚表現を消去する反転表示部分消去工程を含む。【選択図】図７
2012118349.tif 000002
【特許請求の範囲】
【請求項１】
一対の基板間に電気泳動粒子を含む電気泳動素子を狭持し、少なくとも第１色と第２色を表示可能な画素からなる表示部を含む電気泳動表示装置の駆動方法であって、
前記表示部の所与の領域の内部で前記電気泳動素子に電圧を印加することにより、少なくとも第１の視覚表現と第２の視覚表現を含む所与の視覚表現の書き換えを行う、部分書き換え工程と、
前記部分書き換え工程が所与の回数繰り返された後に、前記部分書き換え工程で印加された電圧の非対称性を解消する、非対称性解消工程と、を含み、
前記部分書き換え工程は、
前記所与の視覚表現を形成する画素である視覚表現形成画素を前記第１色で表示する、部分書き込み工程と、
前記視覚表現形成画素を前記第２色で表示する、部分消去工程と、
前記所与の領域の内部で固定画像を構成する画素を前記第２色で表示する、残像消去工程と、
前記所与の視覚表現が前記第２の視覚表現である場合に前記残像消去工程を再度行う、追加残像消去工程と、を含み、
前記所与の視覚表現が前記第１の視覚表現である場合には、前記固定画像として第１の固定画像を使用し、それ以外の場合には、前記固定画像として第２の固定画像を使用し、
前記非対称性解消工程は、
前記部分書き換え工程で前記第１の視覚表現の書き換えが行われた後に続いて行われ、
前記表示部の全ての領域で前記電気泳動素子に電圧を印加する全面駆動を行い、前記第２の視覚表現の前記視覚表現形成画素を前記第２色で表示する、第１全面書き込み工程と、
前記第１全面書き込み工程の後に、前記第１の固定画像を構成する画素を前記第１色で表示する、反転表示部分消去工程と、
前記反転表示部分消去工程の後に、前記部分書き換え工程で前記第２の固定画像を構成する画素が第２色で表示された回数だけ、前記第２の固定画像を構成する画素を前記第１色で表示する処理を繰り返す、残像消去対称化工程と、
前記残像消去対称化工程の後に、前記全面駆動を行い、前記第２の視覚表現の前記視覚表現形成画素を前記第１色で表示する、第２全面書き込み工程と、を含み、
前記第２全面書き込み工程の後に、再び前記部分書き換え工程を行う、電気泳動表示装置の駆動方法。
【請求項２】
請求項１に記載の電気泳動表示装置の駆動方法において、
前記第１の視覚表現と前記第２の視覚表現とを合成して得られる画像を前記第１の固定画像とする、電気泳動表示装置の駆動方法。
【請求項３】
請求項１乃至２のいずれかに記載の電気泳動表示装置の駆動方法において、
前記所与の回数は複数回である、電気泳動表示装置の駆動方法。
【請求項４】
電気泳動表示装置であって、
一対の基板間に電気泳動粒子を含む電気泳動素子を狭持し、少なくとも第１色と第２色を表示可能な画素からなる表示部と、
前記表示部を制御する制御部と、を含み、
前記制御部は、
前記表示部の所与の領域の内部で前記電気泳動素子に電圧を印加することにより、少なくとも第１の視覚表現と第２の視覚表現を含む所与の視覚表現の書き換えを行う、部分書き換え制御と、
前記部分書き換え制御が所与の回数繰り返された後に、前記部分書き換え制御で印加された電圧の非対称性を解消する、非対称性解消制御と、を行い、
前記部分書き換え制御において、
前記所与の視覚表現を形成する画素である視覚表現形成画素を前記第１色で表示する、部分書き込み制御と、
前記視覚表現形成画素を前記第２色で表示する、部分消去制御と、
前記所与の領域の内部で固定画像を構成する画素を前記第２色で表示する、残像消去制御と、
前記所与の視覚表現が前記第２の視覚表現である場合に前記残像消去制御を再度行う、追加残像消去制御と、を行い、
前記所与の視覚表現が前記第１の視覚表現である場合には、前記固定画像として第１の固定画像を使用し、それ以外の場合には、前記固定画像として第２の固定画像を使用し、
前記部分書き換え制御で前記第１の視覚表現の書き換えが行われた後に続いて行われる前記非対称性解消制御において、
前記表示部の全ての領域で前記電気泳動素子に電圧を印加する全面駆動を行い、前記第２の視覚表現の前記視覚表現形成画素を前記第２色で表示する、第１全面書き込み制御と、
前記第１全面書き込み制御の後に、前記第１の固定画像を構成する画素を前記第１色で表示する、反転表示部分消去制御と、
前記反転表示部分消去制御の後に、前記部分書き換え制御で前記第２の固定画像を構成する画素が第２色で表示された回数だけ、前記第２の固定画像を構成する画素を前記第１色で表示する処理を繰り返す、残像消去対称化制御と、
前記残像消去対称化制御の後に、前記全面駆動を行い、前記第２の視覚表現の前記視覚表現形成画素を前記第１色で表示する、第２全面書き込み制御と、を行い、
前記第２全面書き込み制御の後に、再び前記部分書き換え制御を行う、電気泳動表示装置。
【請求項５】
請求項４に記載の電気泳動表示装置において、
前記制御部は、
前記第１の視覚表現と前記第２の視覚表現とを合成して得られる画像を前記第１の固定画像とする、電気泳動表示装置。
【請求項６】
請求項４乃至５のいずれかに記載の電気泳動表示装置を含む電子時計であって、
前記表示部は、
少なくとも、時桁と分桁を含む時刻表示を行い、
前記制御部は、
前記部分書き換え制御において、前記時刻表示の前記分桁を前記所与の視覚表現とする、電子時計。
【請求項７】
請求項６に記載の電子時計であって、
前記制御部は、
前記残像消去対称化制御を１０分に１回行い、
前記制御部は、
第１の視覚表現を９、第２の視覚表現を０とする、電子時計。
【発明の詳細な説明】
【技術分野】
【０００１】
本発明は、電気泳動表示装置の駆動方法、電気泳動表示装置、及び電子時計等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置においてはＤＣバランスをとること、すなわち電極間に印加される電界の時間平均をほぼゼロにすることが要求される。特許文献１は、ＤＣバランスが崩れた場合に装置の動作寿命が短くなる可能性を指摘する。つまり、電気泳動表示装置の長期信頼性を確保するためにはＤＣバランスをとって駆動制御を行うことが必要となる。
【先行技術文献】
【特許文献】
【０００４】
【特許文献１】特表２００５−５３０２０１号公報
【発明の概要】
【発明が解決しようとする課題】
【０００５】
電気泳動表示装置では、応答速度を速めるために、表示部の全体を描画する全面駆動だけでなく書き換え対象である一部のみを描画する部分駆動が行われることがある。例えば、表示された画像を構成する画素だけを部分駆動して、その画像を消去する工程が行なわれる。このとき、書き換え対象である一部の画素と背景である画素との間に斜め方向の電界が生じていて、輪郭部分が膨らんだ画像が表示されているために、画像の輪郭に沿って残像が生じることがある。表示画像の見映えをよくするために、電気泳動表示装置の駆動制御において残像を消去する工程が含まれることが好ましい。
【０００６】
このとき、残像を消去する工程で印加される電界についてもＤＣバランスをとる必要が生じるが、ＤＣバランスをとる工程の間、通常の表示がされないために表示部を見ているユーザーに違和感を与える可能性がある。
【０００７】
本発明はこのような問題点に鑑みてなされたものである。本発明のいくつかの態様によれば、ユーザーに違和感を与えないような表示を行いながらも、処理ステップを大幅に増やすことなく、ＤＣバランスのとれた輪郭部分の残像消去を行う電気泳動表示装置の駆動方法、電気泳動表示装置、及び電子時計等を提供することができる。
【課題を解決するための手段】
【０００８】
（１）本発明は、一対の基板間に電気泳動粒子を含む電気泳動素子を狭持し、少なくとも第１色と第２色を表示可能な画素からなる表示部を含む電気泳動表示装置の駆動方法であって、前記表示部の所与の領域の内部で前記電気泳動素子に電圧を印加することにより、少なくとも第１の視覚表現と第２の視覚表現を含む所与の視覚表現の書き換えを行う、部分書き換え工程と、前記部分書き換え工程が所与の回数繰り返された後に、前記部分書き換え工程で印加された電圧の非対称性を解消する、非対称性解消工程と、を含み、前記部分書き換え工程は、前記所与の視覚表現を形成する画素である視覚表現形成画素を前記第１色で表示する、部分書き込み工程と、前記視覚表現形成画素を前記第２色で表示する、部分消去工程と、前記所与の領域の内部で固定画像を構成する画素を前記第２色で表示する、残像消去工程と、前記所与の視覚表現が前記第２の視覚表現である場合に前記残像消去工程を再度行う、追加残像消去工程と、を含み、前記所与の視覚表現が前記第１の視覚表現である場合には、前記固定画像として第１の固定画像を使用し、それ以外の場合には、前記固定画像として第２の固定画像を使用し、前記非対称性解消工程は、前記部分書き換え工程で前記第１の視覚表現の書き換えが行われた後に続いて行われ、前記表示部の全ての領域で前記電気泳動素子に電圧を印加する全面駆動を行い、前記第２の視覚表現の前記視覚表現形成画素を前記第２色で表示する、第１全面書き込み工程と、前記第１全面書き込み工程の後に、前記第１の固定画像を構成する画素を前記第１色で表示する、反転表示部分消去工程と、前記反転表示部分消去工程の後に、前記部分書き換え工程で前記第２の固定画像を構成する画素が第２色で表示された回数だけ、前記第２の固定画像を構成する画素を前記第１色で表示する処理を繰り返す、残像消去対称化工程と、前記残像消去対称化工程の後に、前記全面駆動を行い、前記第２の視覚表現の前記視覚表現形成画素を前記第１色で表示する、第２全面書き込み工程と、を含み、前記第２全面書き込み工程の後に、再び前記部分書き換え工程を行う。
【０００９】
本発明によれば、部分書き換え工程で生じた印加電界の非対称性を、非対称性解消工程を行うことで解消し、ＤＣバランスをとることができる。ＤＣバランスをとることで、長期信頼性の高い電気泳動表示装置を提供できる。部分書き換え工程には、所与の視覚表現の輪郭に沿った残像を消去する残像消去工程が含まれており、残像を消去できるため視認性のよい電気泳動表示装置を提供できる。
【００１０】
ここで、非対称性を解消する処理は、部分駆動が行われ得る領域を例えば黒色にしてから、印加電界が偏っている画素を黒色で表示することで行われる。そのため、ユーザーは処理中に不要な表示を視認することはない。しかし、通常表示の少なくとも一部が同処理中に黒色で表示され続ける。そのため、ユーザーが表示に違和感を覚える可能性がある。本発明は、非対称性解消工程を、第１の視覚表現の書き換えが行われた後に行う。そして、本発明の非対称性解消工程は、まず第２の視覚表現を表示してから非対称性を解消する処理を実施する。ユーザーは第１の視覚表現から第２の視覚表現へと表示が変わったことを最初に認識できるので、その後に通常表示が行われない時間が生じても、表示に違和感を覚えることがなくなる。
【００１１】
また、本発明の残像消去工程、反転表示部分消去工程、残像消去対称化工程では、固定画像を用いて残像の消去を行う。本発明では、第１および第２の固定画像を用いる。例えば、反転表示部分消去工程では、処理対象となる視覚表現自体に基づいて生成される第１の固定画像を用いる。また、例えば、残像消去対称化工程では、処理対象となる視覚表現の輪郭部分（視覚表現の輪郭を含み残像として残り得る部分）を包含する第２の固定画像を用いる。本発明では、第１の固定画像と第２の固定画像とを使い分けることによって、処理ステップの増加を抑えることができる。
【００１２】
ここで、第１色と第２色とは、電気泳動表示装置が最低限表示可能な基本色である２色である。例えば、二粒子系マイクロカプセル型の電気泳動方式では、分散液は無色透明、電気泳動粒子は白色又は黒色のものがある。この方式の電気泳動表示部は、白色又は黒色の２色を基本色として少なくとも２色を表示可能である。このとき、第１色として電気泳動粒子の１つの色である黒色を割り当て、第２色として白色を割り当ててもよい。逆に、第１色として白色を、第２色として黒色を割り当ててもよい。なお、表示部における所与の領域とは、部分駆動によって所与の視覚表現の書き換えが行われ得る領域をいう。また、所与の視覚表現とは、文字、数字、メッセージ、画像、図形、模様、記号等のいずれか、又はこれらの組み合わせ、一部であってもよい。
【００１３】
なお、全面駆動によって視覚表現形成画素を第２色で表示する、とは、部分駆動が行われ得る領域（所与の領域）において視覚表現の背景を第１色にする動作も含む。また、固定画像とは固定されたパターンの画像という意味で、部分駆動の対象となる画素を示すものである。
【００１４】
（２）この電気泳動表示装置の駆動方法において、前記第１の視覚表現と前記第２の視覚表現とを合成して得られる画像を前記第１の固定画像としてもよい。
【００１５】
本発明によれば、第１の固定画像は、前記第１の視覚表現と前記第２の視覚表現とを合成して得られる画像、つまりこれらの視覚表現を構成する画素の集合で表される画像であってもよい。このような第１の固定画像を反転表示部分消去工程等で用いることによって、処理ステップ数の増加を抑えながら反転表示の部分消去を行い、ＤＣバランスもとることができる。
【００１６】
なお、第２の固定画像は、例えば第１の視覚表現以外の視覚表現の全てについての輪郭形成画素と背景境界画素を合成した画像、つまりこれらの画素の集合で表される画像であってもよい。輪郭形成画素とは視覚表現の輪郭を形成する画素であって、背景境界画素とは輪郭形成画素と隣接する背景の画素（視覚表現を形成しない画素）である。輪郭形成画素と背景境界画素は、部分駆動の際に生じる斜め方向の電界で残像となり得る。また、第２の固定画像は、例えば第１の視覚表現以外の視覚表現の輪郭形成画素と背景境界画素を全て包含するような閉じた図形であってもよい。ここでの閉じた図形とは、外周で閉じた図形を意味する。
【００１７】
（３）この電気泳動表示装置の駆動方法において、前記所与の回数は複数回であってもよい。
【００１８】
本発明によれば、部分書き換え工程を複数回繰り返した後に、非対称性解消工程に進む。非対称性解消工程においては、部分書き換え工程で生じた印加電圧の非対称性についてまとめてＤＣバランスをとる。そのため、全体の処理の効率が高まる。
【００１９】
このとき、残像消去対称化工程で用いられる固定画像は２種類だけである。そのため、記憶部から固定画像の情報を２回だけ読み出せばよい。そのため、記憶部へのアクセスに起因する処理時間の遅さや、消費電力の増大を避けることが可能になる。特に、部分書き換え工程を繰り返す回数が多い場合には、処理時間を短縮し消費電力を抑制する効果が大きい。
【００２０】
（４）本発明は、電気泳動表示装置であって、一対の基板間に電気泳動粒子を含む電気泳動素子を狭持し、少なくとも第１色と第２色を表示可能な画素からなる表示部と、前記表示部を制御する制御部と、を含み、前記制御部は、前記表示部の所与の領域の内部で前記電気泳動素子に電圧を印加することにより、少なくとも第１の視覚表現と第２の視覚表現を含む所与の視覚表現の書き換えを行う、部分書き換え制御と、前記部分書き換え制御が所与の回数繰り返された後に、前記部分書き換え制御で印加された電圧の非対称性を解消する、非対称性解消制御と、を行い、前記部分書き換え制御において、前記所与の視覚表現を形成する画素である視覚表現形成画素を前記第１色で表示する、部分書き込み制御と、前記視覚表現形成画素を前記第２色で表示する、部分消去制御と、前記所与の領域の内部で固定画像を構成する画素を前記第２色で表示する、残像消去制御と、前記所与の視覚表現が前記第２の視覚表現である場合に前記残像消去制御を再度行う、追加残像消去制御と、を行い、前記所与の視覚表現が前記第１の視覚表現である場合には、前記固定画像として第１の固定画像を使用し、それ以外の場合には、前記固定画像として第２の固定画像を使用し、前記部分書き換え制御で前記第１の視覚表現の書き換えが行われた後に続いて行われる前記非対称性解消制御において、前記表示部の全ての領域で前記電気泳動素子に電圧を印加する全面駆動を行い、前記第２の視覚表現の前記視覚表現形成画素を前記第２色で表示する、第１全面書き込み制御と、前記第１全面書き込み制御の後に、前記第１の固定画像を構成する画素を前記第１色で表示する、反転表示部分消去制御と、前記反転表示部分消去制御の後に、前記部分書き換え制御で前記第２の固定画像を構成する画素が第２色で表示された回数だけ、前記第２の固定画像を構成する画素を前記第１色で表示する処理を繰り返す、残像消去対称化制御と、前記残像消去対称化制御の後に、前記全面駆動を行い、前記第２の視覚表現の前記視覚表現形成画素を前記第１色で表示する、第２全面書き込み制御と、を行い、前記第２全面書き込み制御の後に、再び前記部分書き換え制御を行う。
【００２１】
本発明によれば、部分書き換え制御で生じた印加電界の非対称性を、非対称性解消制御を行うことで解消し、ＤＣバランスをとることができる。ＤＣバランスをとることで、長期信頼性の高い電気泳動表示装置を提供できる。ここで、部分書き換え制御には、所与の視覚表現の輪郭に沿った残像を消去する残像消去制御が含まれており、残像を消去できるため視認性のよい電気泳動表示装置を提供できる。
【００２２】
本発明は、非対称性解消制御を、第１の視覚表現の書き換えが行われた後に行う。そして、本発明の非対称性解消制御は、まず第２の視覚表現を表示してから非対称性を解消する処理を実施する。ユーザーは第１の視覚表現から第２の視覚表現へと表示が変わったことを最初に認識できるので、その後に非対称性を解消する処理によって通常表示が行われない時間が生じても、表示に違和感を覚えることがなくなる。
【００２３】
また、本発明の残像消去制御、反転表示部分消去制御、残像消去対称化制御では、第１および第２の固定画像を用いる。本発明では、第１の固定画像と第２の固定画像とを使い分けることによって、処理ステップの増加を抑えることができる。
【００２４】
（５）この電気泳動表示装置において、前記制御部は、前記第１の視覚表現と前記第２の視覚表現とを合成して得られる画像を前記第１の固定画像としてもよい。
【００２５】
本発明によれば、第１の固定画像は、前記第１の視覚表現と前記第２の視覚表現とを合成して得られる画像、つまりこれらの視覚表現を構成する画素の集合で表される画像であってもよい。このような第１の固定画像を反転表示部分消去制御等で用いることによって、処理ステップ数の増加を抑えながら反転表示の部分消去を行い、ＤＣバランスもとることができる。
【００２６】
（６）本発明は、前記電気泳動表示装置を含む電子時計であって、前記表示部は、少なくとも、時桁と分桁を含む時刻表示を行い、前記制御部は、前記部分書き換え制御において、前記時刻表示の前記分桁を前記所与の視覚表現とする。
【００２７】
（７）この電子時計において、前記制御部は、前記残像消去対称化制御を１０分に１回行い、前記制御部は、第１の視覚表現を９、第２の視覚表現を０としてもよい。
【００２８】
これらの発明によれば、制御部は、表示が１分おきに変化する電子時計の分桁表示を対象として部分書き換え制御を行う。このとき、分桁の一桁目が９から０に変化するときに残像消去対称化制御が行われてもよい。残像消去対称化制御を実行する場合でも、最初に時刻表示を行ってから時刻表示の一部が表示されない状態に移行するので、ユーザーに違和感を与えることがない。
【図面の簡単な説明】
【００２９】
【図１】第１実施形態における電気泳動表示装置のブロック図。
【図２】第１実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】図４（Ａ）〜図４（Ｃ）は、第１実施形態における部分駆動および残像消去の表示例を示す図、およびＹ−Ｙ線に沿って切断された断面図。
【図５】図５（Ａ）〜図５（Ｂ）は、輪郭形成画素と背景境界画素を説明するための図。
【図６】図６（Ａ）〜図６（Ｆ）は、固定画像を説明するための図。
【図７】第１実施形態における電気泳動表示装置の駆動方法のフローチャート。
【図８】図８（Ａ）、図８（Ｂ）は図７のサブルーチンのフローチャート。
【図９】図９は電子時計の一例である腕時計の図。
【図１０】図１０（Ａ）〜図１０（Ｊ）は、比較例における電子時計の表示例を示す図。
【図１１】図１１（Ａ）〜図１１（Ｎ）は、適用例における電子時計の表示例を示す図。
【発明を実施するための形態】
【００３０】
以下、本発明の実施形態について図面を参照して説明する。なお、適用例の説明において、第１実施形態と同様の構成については、同一符号を付し、説明を省略する。
【００３１】
１．第１実施形態
本発明の第１実施形態について図１〜図８を参照して説明する。
【００３２】
１．１．電気泳動表示装置
１．１．１．電気泳動表示装置の構成
図１は、本実施形態に係るアクティブマトリックス駆動方式の電気泳動表示装置１００のブロック図である。
【００３３】
電気泳動表示装置１００は、制御部６、記憶部１６０、表示部５を含む。制御部６は、表示部５を制御し、走査線駆動回路６１、データ線駆動回路６２、コントローラー６３、共通電源変調回路６４を含む。走査線駆動回路６１、データ線駆動回路６２，共通電源変調回路６４は、それぞれコントローラー６３と接続されている。コントローラー６３は、記憶部１６０から読み出される画像信号等や図外から供給される同期信号に基づいて、これらを総合的に制御する。なお、制御部６は記憶部１６０を含む構成であってもよい。例えば、記憶部１６０は、コントローラー６３に内蔵されたメモリーであってもよい。
【００３４】
ここで、記憶部１６０は、ＳＲＡＭ、ＤＲＡＭ、その他のメモリーであってもよく、少なくとも表示部５に表示させる画像のデータ（画像信号）を記憶している。また、記憶部１６０には、コントローラー６３によって制御に必要な情報が記憶される。制御に必要な情報とは、例えば残像消去工程Ｓ２４（図８（Ａ）参照）が実行された回数である。このとき、コントローラー６３は、その情報に基づいて残像消去対称化工程Ｓ６２（図８（Ｂ）参照）において対称化の処理を繰り返す回数を決定できる。
【００３５】
表示部５には、走査線駆動回路６１から延びる複数の走査線６６と、データ線駆動回路６２から延びる複数のデータ線６８とが形成されており、これらの交差位置に対応して複数の画素４０が設けられている。
【００３６】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４１（図２参照）のオンタイミングを規定する選択信号を供給する。
【００３７】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画像データ「１」を規定する場合には、ハイレベルの画像信号を画素４０に供給するものとする。
【００３８】
表示部５には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続及び切断（ハイインピーダンス化、Ｈｉ−Ｚ）を行う。
【００３９】
１．１．２．画素部分の回路構成
図２は、図１の画素４０の回路構成図である。なお、図１と同じ配線には同じ番号を付しており、説明は省略する。また、全画素に共通の共通電極配線５５については記載を省略している。
【００４０】
画素４０には、駆動用ＴＦＴ（Thin Film Transistor）４１と、ラッチ回路７０と、スイッチ回路８０が設けられている。画素４０は、ラッチ回路７０により画像信号を電位として保持するＳＲＡＭ（Static Random Access Memory）方式の構成をとる。
【００４１】
駆動用ＴＦＴ４１は、Ｎ−ＭＯＳトランジスタからなる画素スイッチング素子である。駆動用ＴＦＴ４１のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。インバーター７０ｔ、７０ｆには、低電位電源線４９（Ｖｓｓ）と高電位電源線５０（Ｖｄｄ）から電源電圧が供給される。
【００４２】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。なお、Ｖａは、１つの画素４０の画素電極へ供給される電位（信号）を意味する。
【００４３】
ラッチ回路７０に画像データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画像データ「０」（ローレベルの画像信号）が記憶されて、トランスミッションゲートＴＧ２がオン状態となると、スイッチ回路８０はＶａとして信号Ｓ２を供給する。このような回路構成により、制御部６はそれぞれの画素４０の画素電極に対して供給する電位（信号）を制御することが可能である。なお、画素４０の回路構成は一例であり、図２に示すものに限られない。
【００４４】
１．１．３．表示方式
本実施形態の電気泳動表示装置１００は、二粒子系マイクロカプセル型の電気泳動方式であるとする。分散液は無色透明、電気泳動粒子は白色又は黒色のものであるとすると、白色又は黒色の２色を基本色として少なくとも２色を表示できる。ここでは、電気泳動表示装置１００は、第１色として黒色を、第２色として白色を表示するものとして説明する。そして、黒（第１色）を表示している画素を白（第２色）で表示すること、又は白を表示している画素を黒で表示することを反転と表現する。
【００４５】
図３（Ａ）は、本実施形態の電気泳動素子３２の構成を示す図である。電気泳動素子３２は素子基板３０と対向基板３１（図３（Ｂ）、図３（Ｃ）参照）との間に挟まれている。電気泳動素子３２は、複数のマイクロカプセル２０を配列して構成される。マイクロカプセル２０は、例えば無色透明な分散液と、複数の白色粒子（電気泳動粒子）２７と、複数の黒色粒子（電気泳動粒子）２６とを封入している。本実施形態では、例えば白色粒子２７は負に帯電しており、黒色粒子２６は正に帯電しているとする。
【００４６】
図３（Ｂ）は、電気泳動表示装置１００の表示部５の部分断面図である。素子基板３０と対向基板３１は、マイクロカプセル２０を配列してなる電気泳動素子３２を狭持している。表示部５は、素子基板３０の電気泳動素子３２側に、複数の画素電極３５が形成された駆動電極層３５０を含む。図３（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００４７】
一方、対向基板３１は透明基板であり、表示部５において対向基板３１側に画像表示がなされる。表示部５は、対向基板３１の電気泳動素子３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが供給される。
【００４８】
共通電極層３７０と駆動電極層３５０との間に設けられた電気泳動表示層３６０に電気泳動素子３２が配置されており、電気泳動表示層３６０が表示領域となる。共通電極３７と画素電極（例えば、３５Ａ、３５Ｂ）との間の電位差に応じて、画素毎に所望の表示色を表示させることができる。
【００４９】
図３（Ｂ）では、共通電極側電位Ｖｃｏｍが画素４０Ａの画素電極の電位Ｖａよりも高電位である。このとき、負に帯電した白色粒子２７が共通電極３７側に引き寄せられ、正に帯電した黒色粒子２６が画素電極３５Ａ側に引き寄せられるため、画素４０Ａは白を表示していると視認される。
【００５０】
図３（Ｃ）では、共通電極側電位Ｖｃｏｍが画素４０Ａの画素電極の電位Ｖａよりも低電位である。このときは逆に、正に帯電した黒色粒子２６が共通電極３７側に引き寄せられ、負に帯電した白色粒子２７が画素電極３５Ａ側に引き寄せられるため、画素４０Ａは黒を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに電位が変化するパルス信号である。
【００５１】
１．２．電気泳動表示装置の駆動方法
１．２．１．輪郭部分の残像
電気泳動表示装置の駆動方法として、表示部の全体を描画する全面駆動だけでなく、書き換えを行う表示部の一部のみを描画する部分駆動が用いられることがある。電圧を印加する対象の画素数を減らすことで、書き換え時のレスポンスを早めることができる。
【００５２】
しかし、部分駆動を行った場合に、駆動されない画素（背景）との境界部分で斜め方向に電界が生じる。部分駆動によって表示された文字、数字、図形等を消去した場合に、斜め方向に生じた電界の影響によって、その文字、数字、図形等の輪郭部分が残像として視認されることがある。よって、部分駆動によって部分的な書き換えを行う場合（部分書き換え）には、輪郭部分の残像を消去する操作（残像消去）が必要である。
【００５３】
図４（Ａ）〜図４（Ｃ）は、それぞれ部分書き込み、部分消去、残像消去を行ったときの表示部５の表示例（左図）と断面図（右図）を示すものである。なお、図４（Ａ）〜図４（Ｃ）では表示部５において部分駆動が行われ得る所与の領域のうち６画素×６画素を抜き出して表示している。また、図４（Ａ）〜図４（Ｃ）の右図は、それぞれ左図のＹ−Ｙ線に沿った断面図であり、画素４０Ａ、４０Ｂを含む。図４（Ａ）〜図４（Ｃ）および図５（Ａ）〜図５（Ｂ）においては、表示部５のうち斜線で示された画素は、その画素が黒色で表示されていることを示す。表示部における所与の領域では、部分駆動によって所与の視覚表現の書き換えが行われる。なお、所与の視覚表現とは、文字、数字、メッセージ、画像、図形、模様、記号等のいずれか、又はこれらの組み合わせ、一部である。
【００５４】
図４（Ａ）〜図４（Ｃ）において、Ｖａ、Ｖｂはそれぞれ画素４０Ａの画素電極３５Ａ、画素４０Ｂの画素電極３５Ｂに供給される信号である。なお、画素４０Ａと画素４０Ｂは隣接しているものとする（図３（Ｂ）、図３（Ｃ）参照）。画素４０Ａと画素４０Ｂの回路構成も図２と同じであり、それぞれのラッチ回路に保持された画像データに応じて、Ｖａ、ＶｂとしてＳ１またはＳ２を出力する。Ｖｃｏｍは共通電源変調回路６４から共通電極３７に供給される信号である。それぞれの信号Ｖａ、Ｖｂ、Ｖｃｏｍは、ハイレベル（ＶＨ）、ローレベル（ＶＬ）、またはハイインピーダンス状態（Ｈｉ−Ｚ）をとり得るものとする。また、この例において、画素電極３５Ｂに供給される信号がＨｉ−Ｚである場合には、斜め方向に生じる電界以外は考慮しないものとする。
【００５５】
図４（Ａ）は、部分書き込みを行う場合を示している。表示部５には視覚表現として画像Ｐ１が書き込まれ、画素４０Ａはその輪郭を形成する画素（輪郭形成画素）の１つである。なお、画像Ｐ１を形成する黒色の１６画素（４画素×４画素）が視覚表現形成画素である。輪郭形成画素は、視覚表現形成画素の一部であって、背景との境界にある画素である。また、画素４０Ｂは背景に含まれる１つの画素であって、輪郭形成画素と隣接する画素（背景境界画素）の１つである。右図を見ると、画素電極３５Ａ（Ｖａ）の電位はＶＨであり、画素４０Ａは黒色で表示される。一方、画素電極３５Ｂ（Ｖｂ）は例えばハイインピーダンス状態であり、画素４０Ｂは背景色である白色の表示を保つ。
【００５６】
ここで、図５（Ａ）〜図５（Ｂ）を用いて、画像Ｐ１における輪郭形成画素Ｒ３と背景境界画素Ｒ４を説明する。図５（Ａ）のように、輪郭形成画素Ｒ３は画像Ｐ１の輪郭を形成する黒色の１２画素である。そのうちの１つが画素４０Ａである。図５（Ｂ）のように、背景境界画素Ｒ４は輪郭形成画素Ｒ３と隣接する背景（白色）の１６画素であって、そのうち１つが画素４０Ｂである。なお、隣接とは本実施形態では水平、垂直方向だけであるが、斜め方向を含むとしてもよい。例えば、図５（Ｂ）において、画素４０Ｖ、画素４０Ｗ、画素４０Ｘ、画素４０Ｙが背景境界画素に含まれるとしてもよい。
【００５７】
図４（Ｂ）は、部分消去を行う場合を示している。部分書き込みで書き込まれた画像Ｐ１を形成する画素（視覚表現形成画素）を白色で表示することで部分消去を行う。画素電極３５Ａ（Ｖａ）の電位はＶＬであり、画素４０Ａは白色となる。このとき、輪郭形成画素とそれに隣接するハイインピーダンス状態（Ｈｉ−Ｚ）の背景境界画素との間で斜め方向の電界が生じていて、画像Ｐ１は輪郭部分が膨らんだ画像となっていたために、輪郭に沿った残像Ｐ２が発生する。この例では、白色を背景として、輪郭に沿って薄い黒色の残像Ｐ２が視認される。そのため、次の残像消去が必要になる。
【００５８】
図４（Ｃ）は、残像消去を行う場合を示している。輪郭の残像Ｐ２を消去するために、少なくとも画像Ｐ１の輪郭形成画素Ｒ３と背景境界画素Ｒ４とを含む画像を、背景色と同じ白色で表示する必要がある。このとき、輪郭形成画素Ｒ３に含まれる画素４０Ａと背景境界画素Ｒ４に含まれる画素４０Ｂも白色で表示される。右図において、画素４０Ａ、画素４０Ｂの画素電極３５Ａ（Ｖａ）、３５Ｂ（Ｖｂ）の電位はＶＬであり、負に帯電した白色粒子２７が共通電極３７側に引き寄せられる方向の電界が印加されている。そして、輪郭の残像Ｐ２が消去される。
【００５９】
なお、残像消去を行う必要があるのは部分駆動を行った場合だけである。全面駆動を行った場合には、全ての画素が駆動対象であり、斜め方向には電界が生じにくい。よって、全面駆動の場合には残像消去は不要である。
【００６０】
１．２．２．ＤＣバランス
残像消去は、文字、数字、図形等自体の表示、消去とは別の付随的な処理である。また、残像消去の工程において電界が印加される時間は、文字、数字、図形等自体の表示、消去と比べると短時間である。そのため、従来、残像消去についてＤＣバランスが考慮されることはなかった。
【００６１】
しかし、残像消去の対象となる画素の電極間では、残像消去によって一定の方向に電界が印加されることになる。そして、残像消去は文字、数字、図形等自体の表示に伴って繰り返されるため、使用され続けると印加電界の非対称性が大きくなる。よって、電気泳動表示装置の長期信頼性を確保するために、残像消去も含めてＤＣバランスをとる必要がある。そこで、残像消去によって生じた印加電界の非対称性を解消するために、以下の残像消去対称化を行う。
【００６２】
なお、図４（Ａ）の部分書き込みが行われた画素については、図４（Ｂ）の部分消去によってＤＣバランスがとられている。画素４０Ａを含めて黒色で表示された視覚表現形成画素は、部分消去によって白色で表示されている。このとき、視覚表現形成画素について電極間に印加される電界の時間平均はゼロとなりＤＣバランスがとられる。よって、非対称性を解消する必要があるのは、残像消去の工程において電界が印加された画素についてである。
【００６３】
１．２．３．残像消去対称化における性能上の問題
ここで、残像消去対称化において、ＤＣバランスをとる必要がある画素の情報は、画像信号として記憶部１６０（図１参照）から読み出される必要がある。残像消去対称化の工程においては、複数の視覚表現について行われた残像消去について、まとめて対称化する（ＤＣバランスをとる）ことが処理効率の観点から好ましい。しかし、ＤＣバランスをとる必要がある画素が例えば視覚表現ごとに異なっている場合には、記憶部１６０に複数回アクセスして画像信号を取得する必要がある。このことは、電気泳動表示装置の応答速度を低下させ、消費電力を増大させる可能性がある。また、各視覚表現のＤＣバランスをとる必要がある画素を表すデータを全て記憶部１６０に保存する必要があるので、大きな記憶容量が必要になるというコスト上の問題が発生し得る。
【００６４】
そこで、残像消去および残像消去対称化の工程において部分駆動の対象となる画素をなるべく固定化すること、すなわち１つ又は２つ程度の固定画像を構成する画素を駆動することでこれらの問題を解決することができる。なお、残像消去における固定画像と残像消去対称化における固定画像では表示色は反転している。しかし、どちらの場合も駆動の対象となる画素は同じであり、両者を特に区別することなく固定画像と呼ぶものとする。
【００６５】
１．２．４．残像消去対称化における表示上の問題
残像消去対称化は、その処理の過程における表示がユーザーに視認されないことが好ましい。例えば、部分書き込みの対象となる領域を例えば黒色で表示した後に、前記の固定画像を構成する画素を黒色で表示すれば、固定画像と周囲とは同じ黒色であるためにユーザーからは見えない。しかし、残像消去対称化を行う間、通常表示の少なくとも一部が黒色で表示され続けることになる。
【００６６】
特に時刻表示等の所定のタイミングでの表示変化が期待される場合において、表示が変化すべき時にこのような黒色の表示が生じると、ユーザーは期待される変化を認識できずに違和感を覚える可能性がある。
【００６７】
そこで、残像消去対称化の最初の処理において、表示されるべき視覚表現を例えば白色で反転表示することでこの問題を解決する。ユーザーは、前記の黒色の表示を見る前に、表示されるべき視覚表現を認識できるので表示に違和感を覚えることがなくなる。なお、表示されるべき視覚表現とは、第１の視覚表現から第２の視覚表現へと変化する場合においては第２の視覚表現を指す。以下では、この第１および第２の視覚表現を用いて説明する。
【００６８】
ここで、部分駆動によって反転表示を実現する場合には、部分書き込み、部分消去、残像消去、残像消去対称化の４つの処理ステップを追加する必要がある。しかし、処理速度の観点からは追加の処理ステップ数は少ない方が好ましい。そこで、第１の視覚表現の残像消去の後、残像消去対称化の処理の前に行われる全面書き込み（第１全面書き込み）を利用して、前記の反転表示を行うことを検討する。
【００６９】
第１全面書き込みは全面駆動で行われるのでＤＣバランスをとる必要はない。そのため、全面書き込みで反転表示を行った後に、残像消去対称化の処理が行えるように部分消去（反転表示の部分消去）のステップを追加するだけでよい。反転表示の部分消去により、部分書き込みの対象となる領域全体は黒色で表示される。
【００７０】
ただし、第１全面書き込み（反転表示）に対してＤＣバランスをとるための第２全面書き込みが実施される。このとき、第２全面書き込みでは第２の視覚表現を黒色で表示することになる。そのため、第２の視覚表現の輪郭部分に残像が強く残る可能性があるため、残像消去、および残像消去対称化の２つのステップを更に追加することが好ましい。しかし、合計しても３つのステップを追加するだけであり、部分駆動によって反転表示を実現する場合に比べてステップ数を減らすことができる。
【００７１】
追加された部分消去（反転表示の部分消去）のステップでは、具体的には固定画像の黒色表示がおこなわれる。一方、第１全面書き込みの直前に行われる第１の視覚表現の残像消去のステップでは、具体的には固定画像の白色表示がおこなわれる。ここで、第１の視覚表現の残像消去のステップは、直後に全面書き込みが行われるため、残像消去を行う必要性は少ない。従って、追加された部分消去（反転表示の部分消去）のステップと第１の視覚表現の残像消去のステップとでＤＣバランスをとることが効率的である。そこで、これらのステップ間で共通に用いる第１の固定画像を用意する。この手法により、処理ステップを大幅に増やすことなく、ユーザーに違和感を与えないような表示を行うことができ、しかもＤＣバランスをとることができる。なお、第１の視覚表現以外の残像消去および残像消去対称化の工程において用いる固定画像は、これとは区別して第２の固定画像と呼ぶ。
【００７２】
１．２．５．固定画像
まず、第１の視覚表現以外の残像消去および残像消去対称化で用いられる第２の固定画像としては、第１の視覚表現以外の視覚表現の輪郭形成画素と背景境界画素とを含む必要がある。輪郭形成画素と背景境界画素とは、残像として視認され得るからである。第２の固定画像は、表示される全ての視覚表現の輪郭形成画素と背景境界画素とを合成してできる画像であってもよい。合成とは、例えば各視覚表現の輪郭形成画素と背景境界画素に１を割り当て、その他の画素に０を割り当てて、全ての対象となる視覚表現について画素毎に論理和をとるような処理を意味する。つまり、第２の固定画像は、第１の視覚表現以外の視覚表現のすべての輪郭形成画素と背景境界画素の集合で表される画像となる。
【００７３】
また、第２の固定画像は第１の視覚表現以外の視覚表現の輪郭形成画素と背景境界画素が含まれるような閉じた図形であってもよい。閉じた図形とは、外周で閉じた図形の意味であり、多角形（例えば四角形）や丸、楕円などの形状の図形も含む。
【００７４】
一方、第１の固定画像は、反転表示された第２の視覚表現を消去して部分駆動が行われる領域内を黒色で表示するために用いられる。そして、第１の視覚表現の残像消去のステップにおいて、なるべく残像が目立たないようにするために用いられる。すると、第１の固定画像は、第１の視覚表現と第２の視覚表現を合成した画像であることが好ましい。このような第１の固定画像を用いることで不必要な画素を駆動しなくてすむ。
【００７５】
図６（Ａ）〜図６（Ｆ）を用いて、固定画像の具体例について説明する。この例では、表示される全ての視覚表現は図６（Ａ）に示される数字（０〜９）であるとする。このとき、図６（Ｄ）、図６（Ｅ）それぞれの黒で表された画像は第２の固定画像の例を示す。また、図６（Ｆ）は第１の固定画像の例を示す。なお、この例では、視覚表現が表示される所与の領域は、１２画素×１２画素の領域であり、第１の視覚表現を９、第２の視覚表現を０とする。つまり、９から０に変化するときに、第１の全面駆動が行われて反転表示がされ、続いて残像消去対称化が行われる。
【００７６】
まず、第２の固定画像を用いるのは、視覚表現として数字０〜８を表す場合になる。図６（Ｂ）は、数字０〜８の輪郭形成画素を合成した画像（黒色部分）である。そして、図６（Ｃ）は、全ての視覚表現の背景境界画素を合成した画像（斜線部分）である。なお、黒色部分は図６（Ｂ）と同じである。第２の固定画像は、全ての視覚表現についての輪郭形成画素と背景境界画素とを含む必要があるため、図６（Ｂ）の黒色部分と図６（Ｃ）の斜線部分とを合成した図６（Ｄ）の画像（黒色部分）となる。図６（Ｄ）の画像が、この例における最小の第２の固定画像となる。
【００７７】
また、第２の固定画像は、外周および外周で閉じられた領域を単一色で表した四角形などの閉じた図形であってもよい。したがって、第２の固定画像は、図６（Ｅ）の黒色の長方形で表される画像であってもよい。
【００７８】
図６（Ｄ）の場合には駆動する画素が最も少ない第２の固定画像となる。図６（Ｅ）の場合には、外周の画素の情報、又は頂点の画素の情報さえ記憶すればよいので、図６（Ｄ）と比べて第２の固定画像を記憶するためのデータ量を減らすことが可能である。
【００７９】
図６（Ｆ）は、第１の視覚表現（数字の９）と第２の視覚表現（数字の０）を合成した画像であり、この例での第１の固定画像を表す。
【００８０】
１．２．６．メインルーチンのフローチャート
図７は、第１実施形態における電気泳動表示装置の駆動方法のフローチャートである。本実施形態にかかる電気泳動表示装置の駆動方法は、最初に部分書き換え工程Ｓ２を行う。部分書き換え工程Ｓ２は、電気泳動表示装置の表示部における所与の領域内で、部分駆動によって所与の視覚表現の書き換えを行う。例えば、０〜９の数字が１２画素×１２画素の領域に部分駆動で書き換えられて、表示部のそれ以外の領域は全面駆動によってのみ書き換えられるとする。このとき、前記の所与の領域とは１２画素×１２画素の領域であり、所与の視覚表現とは０〜９の数字である。
【００８１】
部分書き換え工程Ｓ２は、所与の回数繰り返されてもよい（Ｓ４）。先の例では、０〜９が順に１度ずつ表示されるとすると、部分書き換え工程Ｓ２は１０回繰り返される。
【００８２】
その後、部分書き換え工程Ｓ２が含む残像消去工程によって生じた、ＤＣバランスの不均衡（印加電界の非対称性）を解消するために、非対称性解消工程Ｓ６が行われる。非対称性解消工程Ｓ６の後に、電気泳動表示装置の表示についての終了命令の有無が判断されてもよい（Ｓ８）。表示を継続する場合には再びＳ２に戻り（Ｓ８Ｎ）、表示を終了する場合にはフローチャートの制御も終了する（Ｓ８Ｙ）。例えば、電子時計に用いられる電気泳動表示装置などでは表示が終了することはなく、再びＳ２〜Ｓ６の工程が繰り返される。
【００８３】
１．２．７．サブルーチンのフローチャート
１．２．７．１．部分書き換え工程
図８（Ａ）は、部分書き換え工程Ｓ２のサブルーチンを示すフローチャートである。本実施形態では、部分書き換え工程Ｓ２は、部分書き込み工程Ｓ２０、部分消去工程Ｓ２２、残像消去工程Ｓ２４、追加残像消去工程Ｓ２６を含む。
【００８４】
部分書き込み工程Ｓ２０は、表示部の所与の領域に所与の視覚表現を表示する。所与の視覚表現には少なくとも第１の視覚表現と第２の視覚表現が含まれているとする。再び先の例を用いると、部分書き込み工程Ｓ２０では、１２画素×１２画素の領域（所与の領域）の全てが白色であるときに、部分駆動により黒色で例えば０の数字（所与の視覚表現）を表示する。また、この例で第１の視覚表現は９、第２の視覚表現は０であるとする。
【００８５】
部分消去工程Ｓ２２は、部分書き込み工程Ｓ２０で書き込まれた所与の視覚表現を消去する。部分消去工程Ｓ２２では、例えば、部分駆動により白色で０の数字を表示することで消去を行う。なお、部分消去工程Ｓ２２は色を反転して同一の表示を行うことで、部分書き込み工程Ｓ２０との間でＤＣバランスをとっている。なお、白を表示する場合と黒を表示する場合とでは、印加する電界の方向は正反対であり、電界が印加される時間は同じであるとする。
【００８６】
残像消去工程Ｓ２４は、主として所与の視覚表現の輪郭部分の残像を消去する。残像消去工程Ｓ２４では、例えば、０の数字の輪郭部分の残像を、固定画像を部分駆動により白色で表示することで消去する。但し、残像消去工程Ｓ２４ではＤＣバランスがとれていないため、以下の非対称解消工程が必要になる。ここで、固定画像として第１の固定画像と第２の固定画像とが使い分けられる。所与の視覚表現が第１の視覚表現の場合には、第１の固定画像（図６（Ｆ）参照）が用いられ、それ以外の場合には、第２の固定画像（図６（Ｄ）又は図６（Ｅ））参照）が用いられる。
【００８７】
追加残像消去工程Ｓ２６は、所与の視覚表現が第２の視覚表現であった場合にのみ行われ（Ｓ２５Ｙ）、それ以外の場合には実行されない（Ｓ２５Ｎ）。追加残像消去工程Ｓ２６は、第２の視覚表現の輪郭部分の残像を消去する。これは、第２の視覚表現が第２全面書き込み工程Ｓ６４（図８（Ｂ）参照）で書き込まれるために、第２の視覚表現の輪郭に沿った残像が強く残り、もう１度残像消去工程を行う必要が生じるからである。この工程Ｓ２６でもＤＣバランスがとれていないため、以下の非対称解消工程が必要になる。
【００８８】
１．２．７．２．非対称性解消工程
図８（Ｂ）は、非対称性解消工程Ｓ６のサブルーチンを示すフローチャートである。本実施形態では、非対称性解消工程Ｓ６は、第１全面書き込み工程Ｓ６０、反転表示部分消去工程Ｓ６１、残像消去対称化工程Ｓ６２、第２全面書き込み工程Ｓ６４を含む。
【００８９】
第１全面書き込み工程Ｓ６０では、表示部の全体を描画する全面駆動が行われる。そして、第１全面書き込み工程Ｓ６０は、表示部の所与の領域の内部に第２の視覚表現を表示する。
【００９０】
例えば、第１全面書き込み工程Ｓ６０は、全面駆動によって前記の１２画素×１２画素の領域（所与の領域）の背景を黒色とし、そこに第２の視覚表現を白色で表示する。これにより、ユーザーは第１の視覚表現から第２の視覚表現へと表示が移行したことを認識することができ、表示に違和感を覚えることがなくなる。
【００９１】
反転表示部分消去工程Ｓ６１は、続く残像消去対称化工程Ｓ６２でユーザーに不要な表示が見えることがないようにする。具体的には、部分駆動によって第１の固定画像を黒色で表示することで、白色で表示された第２の視覚表現を消去して、１２画素×１２画素の領域を黒色にする。
【００９２】
残像消去対称化工程Ｓ６２は、第２の固定画像を用いた残像消去工程Ｓ２４とＤＣバランスをとる。例えば、残像消去対称化工程Ｓ６２は、残像消去工程Ｓ２４と同じ部分駆動によって、第２の固定画像を黒色で表示することでＤＣバランスをとる。このとき、反転表示部分消去工程Ｓ６１により１２画素×１２画素の領域は黒色となっている。そのため、固定画像を黒色で表示してもユーザーに視認されるおそれはない。よって、ユーザーに故障との誤解を生じさせることもなく、残像消去工程Ｓ２４とＤＣバランスをとることが可能である。
【００９３】
なお、残像消去工程Ｓ２４が所与の回数繰り返された場合には（Ｓ４）、その全てに対してＤＣバランスをとることが必要であるため、残像消去対称化工程Ｓ６２においても対称化の処理が繰り返し行われる。例えば、０〜８の数字に対して残像消去工程Ｓ２４が行われ、追加残像消去工程Ｓ２６も行われた場合には、０〜８の各数字の輪郭を含む第２の固定画像を黒色で表示する処理が１０回繰り返される。なお、９の数字に対する残像消去工程Ｓ２４では、第１の固定画像が用いられており、反転表示部分消去工程Ｓ６１によって対称化されている。
【００９４】
第２全面書き込み工程Ｓ６４では、表示部の全体を描画する全面駆動が行われる。そして、第２全面書き込み工程Ｓ６４は、表示部の所与の領域の内部に第２の視覚表現を表示する。このときの第２の視覚表現の表示は、第１全面書き込み工程Ｓ６０のときの反転表示となる。例えば、第２全面書き込み工程Ｓ６４は、全面駆動によって前記の１２画素×１２画素の領域（所与の領域）の背景を白色とし、そこに第２の視覚表現を黒色で表示する。
【００９５】
なお、第２全面書き込み工程Ｓ６４は第１全面書き込み工程Ｓ６０と全体でＤＣバランスをとることが好ましい。つまり、第２全面書き込み工程Ｓ６４による表示は、所与の領域内だけではなく表示部の全体において、第１全面書き込み工程Ｓ６０の反転表示であることが好ましい。
【００９６】
図７、図８（Ａ）、図８（Ｂ）のフローチャートで示される電気泳動表示装置の駆動方法に従うことにより、ユーザーに違和感を与えないような表示を行いながらも（Ｓ６０）、第１の固定画像と第２の固定画像とを使い分けることによって処理ステップの増加を抑えて、ＤＣバランスのとれた輪郭部分の残像消去を行う電気泳動表示装置の駆動方法が可能になる。
【００９７】
２．電子時計
本発明の電子時計への適用例について図９、図１１（Ａ）〜図１１（Ｎ）を参照して説明する。また、比較例については図１０（Ａ）〜図１０（Ｊ）を参照して説明する。なお、図１〜図８と同様の構成については、同一符号を付して説明を省略し、相違する部分について説明する。
【００９８】
前記の電気泳動表示装置１００は、電子時計に好適に適用可能である。このとき、腕時計、置き時計、掛け時計、懐中時計など種類を限定せずに広く適用できる。
【００９９】
例えば、図９は電子時計の１つである腕時計１０００の正面図である。腕時計１０００は、時計ケース１００２と、時計ケース１００２に連結された一対のバンド１００３とを備える。時計ケース１００２の正面には、電気泳動表示装置１００からなる表示部１００４が設けられ、表示部１００４は時刻表示を含む表示１００５を行っている。時計ケースの側面には、２つの操作ボタン１０１１と１０１２とが設けられている。なお、操作ボタン１０１１、１０１２によって、表示１００５として時刻、カレンダー、アラームなど様々な表示形態が選択されてもよい。
【０１００】
２．１．比較例
ここで、適用例である電子時計の表示部について比較例と対比しながら説明する。まず、比較例について図１０（Ａ）〜図１０（Ｊ）を参照しながら説明する。その後、適用例については図１１（Ａ）〜図１１（Ｎ）を参照して説明する。
【０１０１】
図１０（Ａ）〜図１０（Ｊ）は比較例に係る電子時計の表示部５の表示例を示す。表示部５は図９の表示部１００４に対応するが、図１０（Ａ）〜図１０（Ｊ）では時刻表示部分のみを抜き出している。また、領域５１は部分駆動が行われ得る領域を示す。図１０（Ａ）〜図１０（Ｊ）に示す表示例では領域５１は時刻表示の分桁の一桁目に対応するが、例えば分桁の十桁目も含めて領域５１としてもよいし、時刻表示全体を領域５１としてもよい。
【０１０２】
図１０（Ａ）〜図１０（Ｊ）の領域５１の拡大図（右図）において、灰色で示す部分は部分駆動の対象でない画素を示す。すなわち、領域５１の拡大図で黒色又は白色で表示された画素が部分駆動される。なお、図１０（Ａ）〜図１０（Ｊ）に付された工程番号は図７、図８（Ａ）、図８（Ｂ）のフローチャートの工程番号に対応するが、比較例には追加残像消去工程Ｓ２６、反転表示部分消去工程Ｓ６１は含まれていない。また、比較例における残像消去工程と残像消去対称化工程では固定画像を使用せず、視覚表現ごとに用いる画像が異なっている。
【０１０３】
図１０（Ａ）は、時刻が１２：００であることを示している。部分書き込み工程Ｓ２０が行われ、領域５１に黒色で分一桁として０が表示される。
【０１０４】
図１０（Ｂ）は、時刻が１２：００から１２：０１に変化する前に、部分消去工程Ｓ２２が行われ、図１０（Ａ）において領域５１に黒色で表示されていた０が消去されることを示す。
【０１０５】
図１０（Ｃ）は、残像消去工程Ｓ２４が行われ、領域５１に黒色で表示されていた０の輪郭部分の残像が消去されることを示す。このとき、０の輪郭を形成している輪郭形成画素と背景境界画素との情報が記憶部１６０から読み出される。そして、０についての輪郭形成画素と背景境界画素とを含む画像を白色で表示することで残像消去を行う。
【０１０６】
その後、分桁の一桁目が１、２、３、…と変化し、９になるまで図１０（Ａ）〜図１０（Ｃ）と同じ工程が繰り返される。なお、図１０（Ｄ）〜図１０（Ｆ）は、それぞれ図１０（Ａ）〜図１０（Ｃ）で分桁の一桁目が９になった場合であるので説明は省略する。
【０１０７】
図１０（Ｇ）は、第１全面書き込み工程Ｓ６０が行われ、領域５１を黒色で表示していることを表す。このとき、時桁や区切り（：）や分桁の十桁は白色で表示されてもよいが、通常の時刻表示は行われない。
【０１０８】
図１０（Ｈ）は、図１０（Ｃ）の残像消去工程Ｓ２４に対する残像消去対称化工程Ｓ６２が行われることを示す図である。図１０（Ｈ）では、例えばコントローラー６３が記憶部１６０から分桁の一桁目である０の輪郭形成画素と背景境界画素の情報を読み出し、これらを含む画像を黒色で表示してＤＣバランスをとる。その後、分桁の一桁目を１、２、３、…と変化させて、９になるまで同じ工程が繰り返される（図１０（Ｈ）〜図１０（Ｉ））。このとき、コントローラー６３は記憶部１６０から分桁の一桁目の数字に対応した固有の輪郭形成画素等の情報をそれぞれ読み出す必要がある。つまり、比較例の電子時計では、１０回も記憶部１６０へアクセスする必要があり、応答速度の低下や消費電力の増大が生じる可能性がある。なお、図１０（Ｉ）は図１０（Ｈ）と同じ処理を行っており説明は省略する。
【０１０９】
図１０（Ｊ）は、第２全面書き込み工程Ｓ６４が行われ、領域５１を白色で表示していることを表す。このとき、図１０（Ｊ）における表示は図１０（Ｇ）の表示とＤＣバランスがとれるように、図１０（Ｇ）の表示を反転したものとなっている。
【０１１０】
この比較例においてＤＣバランスはとられている。しかし、比較例は以下の問題を含んでいる。まず、図１０（Ｇ）の第１全面書き込み工程Ｓ６０は表示が９から０へと変化するタイミングで行われるが、図１０（Ｇ）〜図１０（Ｊ）の間に通常の時計表示が行われることがない。そのため、分桁が変化する時に黒色の表示が生じて一定の間継続するため、ユーザーは期待される変化を見ることができず表示に違和感を覚える可能性がある。また、図１０（Ｈ）〜図１０（Ｉ）の残像消去対称化工程Ｓ６２において記憶部１６０に１０回アクセスして画像信号を取得する必要があるため、電気泳動表示装置の応答速度を低下させ、消費電力を増大させる可能性がある。
【０１１１】
２．２．適用例
図１１（Ａ）〜図１１（Ｎ）は、第１実施形態の適用例における電子時計について、表示部５の表示例を示している。なお、比較例（図１０（Ａ）〜図１０（Ｊ））と全く同一の工程については、対応する図面の番号を表記して説明を省略する。また、図１０（Ａ）〜図１０（Ｊ）と同じ要素については同じ番号を付しており説明は省略する。そして、図１１（Ａ）〜図１１（Ｎ）の右図において、丸で囲まれた１、又は２は、それぞれ第１の固定画像、第２の固定画像が用いられることを表す。
【０１１２】
図１１（Ａ）〜図１１（Ｂ）は、それぞれ図１０（Ａ）〜図１０（Ｂ）と同一の工程である。
【０１１３】
図１１（Ｃ）は、残像消去工程Ｓ２４が行われ、領域５１に黒色で表示されていた０の輪郭部分の残像が消去されることを示す。このとき、残像消去には第２の固定画像が用いられ、その情報は記憶部１６０（図１参照）から画像信号として読み出される。第２の固定画像は、例えば数字０〜８の輪郭形成画素と背景境界画素を合成した画像（図６（Ｄ）参照）である。
【０１１４】
図１１（Ｄ）は、追加残像消去工程Ｓ２６が行われ、領域５１に黒色で表示されていた０の輪郭部分の残像が再び消去されることを示す。本適用例では、０が前記の第２の視覚表現であるため、追加残像消去工程Ｓ２６が実施される。本適用例では、部分書き込み工程Ｓ２０（図１１（Ａ））とは別に第２全面書き込み工程Ｓ６４（図１１（Ｎ））で０を黒色で表示している。そのため０が重ね書きされることになり、その輪郭部分が強調されている。そこで、確実な残像消去のために追加残像消去工程Ｓ２６を行っている。
【０１１５】
その後、分桁の一桁目が１、２、３、…と変化し、８になるまで図１１（Ａ）〜図１１（Ｃ）と同じ工程が繰り返される。なお、図１１（Ｅ）、図１１（Ｆ）は、それぞれ図１１（Ａ）、図１１（Ｃ）と同じ工程であるので説明は省略する。
【０１１６】
図１１（Ｇ）〜図１１（Ｉ）は、分桁の一桁目が９になった場合の工程を表す。ここで、９は前記の第１の視覚表現である。図１１（Ｇ）、図１１（Ｈ）については、それぞれ図１１（Ａ）、図１１（Ｂ）と同じ工程であるので説明を省略する。
【０１１７】
図１１（Ｉ）は、残像消去工程Ｓ２４が行われ、領域５１に黒色で表示されていた９の輪郭部分の残像が消去されることを示す。このとき、残像消去には第２の固定画像ではなく第１の固定画像が用いられ、その情報は記憶部１６０（図１参照）から画像信号として読み出される。第１の固定画像は、数字９と０とを合成した画像である（図６（Ｆ）参照）。そのため、背景境界画素を含んでおらず、輪郭に沿った残像を消去する目的には最適とは言えない。しかし、続く第１全面書き込み工程Ｓ６０で表示部５の全面が書き換えられるため、ここでの残像が表示部５に長く表示されることはない。そのため、９（第１の視覚表現）に対する残像消去工程Ｓ２４は、残像の消去よりも続く反転表示部分消去工程Ｓ６１とＤＣバランスをとることを主目的としている。
【０１１８】
図１１（Ｊ）は、第１全面書き込み工程Ｓ６０が行われ、全面駆動により、領域５１に白色で０（第２の視覚表現）を表示していることを表す。このとき、時桁や区切り（：）や分桁の十桁も白色で表示されており、通常の表示が行われている。なお、全面駆動が行われるため、部分駆動の対象を表す右図の領域５１は灰色で示されている。
【０１１９】
図１１（Ｋ）は、反転表示部分消去工程Ｓ６１が行われ、領域５１に白色で表示されていた０が消去されることを示す。このとき、残像消去には第１の固定画像が用いられ、図１１（Ｉ）の残像消去工程Ｓ２４とＤＣバランスがとられている。第１の固定画像は、数字９と０とを合成した画像である（図６（Ｆ）参照）。そのため、黒色で第１の固定画像を表示することで、白色の０が消去されることになる。
【０１２０】
図１１（Ｌ）は、図１１（Ｃ）の残像消去工程Ｓ２４とＤＣバランスをとるために、残像消去対称化工程Ｓ６２が行われることを示す図である。例えばコントローラー６３（図１参照）は記憶部１６０から第２の固定画像の情報を読み出し、図１１（Ｃ）とは対称的に黒色で表示する。なお、図１１（Ｋ）により、領域５１の全面が背景色として黒色で表示されているので、残像消去対称化工程Ｓ６２による表示がユーザーに視認されることはない。つまり、黒色の背景色に対して黒色で固定画像を表示するので目につかない。
【０１２１】
その後、分桁の一桁目が０（追加残像消去工程Ｓ２６）、１、２、３、…、８と変化したことに対応して、合わせて１０回、図１１（Ｌ）と同じ処理が繰り返される（図１１（Ｌ）〜図１１（Ｍ））。残像消去対称化工程Ｓ６２は、複数の残像消去工程Ｓ２４および追加残像消去工程Ｓ２６が行われた場合であっても、まとめて対称化の処理を行うことが可能であり、効率化を図ることができる。このとき、２種類の固定画像のみを用いるので、記憶部１６０から固定画像の情報を２回だけ読み出せばよい。そのため、記憶部１６０へのアクセスによる応答速度の低下や消費電力の増大が生じることはない。なお、図１１（Ｍ）は図１１（Ｌ）と同一の処理を行っており説明は省略する。
【０１２２】
図１１（Ｎ）は、第２全面書き込み工程Ｓ６４が行われ、全面駆動により、領域５１に黒色で０を表示していることを表す。このとき、図１１（Ｎ）における表示は図１１（Ｊ）の表示とＤＣバランスがとれるように、図１１（Ｊ）の表示を反転したものとなっている。
【０１２３】
なお、図１１（Ａ）〜図１１（Ｎ）の表示例においては、例えば、図１１（Ａ）と図１１（Ｂ）、図１１（Ｇ）と図１１（Ｈ）、図１１（Ｉ）と図１１（Ｋ）のようにＤＣバランスがとられており、全体としてもＤＣバランスがとられている。
【０１２４】
ここで、適用例に係る電子時計では、全面駆動により表示が書き換えられるタイミングが分桁の更新のタイミングであり、図１１（Ｊ）のように反転表示とともに現在時刻が表示されるので違和感が生じない。よって、比較例におけるユーザーが表示に違和感を覚えるとの問題は解決されている。
【０１２５】
また、適用例に係る電子時計では、第１の視覚表現以外に対する残像消去工程Ｓ２４、追加残像消去工程Ｓ２６、残像消去対称化工程Ｓ６２では第２の固定画像を、そして、第１の視覚表現に対する残像消去工程Ｓ２４、反転表示部分消去工程Ｓ６１では第１の固定画像を用いる。図１１（Ｋ）〜図１１（Ｍ）の工程において、２種類の固定画像のみを用いるので、記憶部１６０から固定画像の情報を２回だけ読み出せばよい。よって、比較例における記憶部１６０への頻繁なアクセスによる応答速度の低下や消費電力の増大といった問題は解決されている。また、比較例と比べても３つの処理ステップが追加されているだけである。
【０１２６】
以上のように、適用例に係る電子時計では、ユーザーに違和感を与えないような表示を行いながらも（図１１（Ｊ））、第１の固定画像と第２の固定画像とを使い分けることによって処理ステップの増加を抑えて、応答速度の低下や消費電力の増大のないＤＣバランスのとれた輪郭部分の残像消去を行う。
【０１２７】
３．その他
前記の実施形態においては、電気泳動表示装置は、黒色粒子および白色粒子による白黒二粒子系の電気泳動が行われるものに限られず、青白等の一粒子系の電気泳動を行っても良く、また、白黒以外の組み合わせでも構わない。
【０１２８】
そして、電気泳動表示装置に限らず、メモリー性の表示手段に前記の駆動方法が適用されてもよい。例えば、ＥＣＤ（Ele ctrochromic Display＝エレクトロクロミックディスプレイ）、強誘電性液晶ディスプレイ、コレステリック液晶ディスプレイ等である。
【０１２９】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１３０】
５…表示部、６…制御部、２０…マイクロカプセル、２６…黒色粒子、２７…白色粒子、３０…素子基板、３１…対向基板、３２…電気泳動素子、３５…画素電極、３５Ａ…画素電極、３５Ｂ…画素電極、３７…共通電極、４０…画素、４０Ａ…画素、４０Ｂ…画素、４０Ｖ…画素、４０Ｗ…画素、４０Ｘ…画素、４０Ｙ…画素、４１…駆動用ＴＦＴ（Thin Film Transistor）、４９…低電位電源線（Ｖｓｓ）、５０…高電位電源線（Ｖｄｄ）、５１…領域、５５…共通電極配線（Ｖｃｏｍ）、６１…走査線駆動回路、６２…データ線駆動回路、６３…コントローラー、６４…共通電源変調回路、６６…走査線、６８…データ線、７０…ラッチ回路、８０…スイッチ回路、９１…第１のパルス信号線（Ｓ１）、９２…第２のパルス信号線（Ｓ２）、１００…電気泳動表示装置、１６０…記憶部、３５０…駆動電極層、３６０…電気泳動表示層、３７０…共通電極層、１０００…腕時計、１００２…時計ケース、１００３…バンド、１００４…表示部、１００５…表示、１０１１…操作ボタン、１０１２…操作ボタン
【図１】
2012118349.tif 000003
【図２】
2012118349.tif 000004
【図３】
2012118349.tif 000005
【図４】
2012118349.tif 000006
【図５】
2012118349.tif 000007
【図６】
2012118349.tif 000008
【図７】
2012118349.tif 000009
【図８】
2012118349.tif 000010
【図９】
2012118349.tif 000011
【図１０】
2012118349.tif 000012
【図１１】
2012118349.tif 000013